(57)【要約】【課題】柔軟な発泡樹脂シートからなる緩衝用容器と保形性のある発泡樹脂シートからなる支持容器とよりなる果実包装用容器として、収納凹部の弾力性を抑制しないようにして果実の保護を良好になすことができるようにする。【解決手段】支持容器２０は、緩衝用容器２０の周縁部１３を受ける側壁部２３を有するとともに、内方部の複数個所に緩衝用容器１０の収納凹部１１の列間における非凹設部分１２の一部個所を受ける錐体状の突出支持部２２を有するものとし、緩衝用容器１０を受支した状態において、収納凹部１１の弾性変形を許容できるようにする。【選択図】図５
2010064760.tif 000002
【特許請求の範囲】
【請求項１】
弾力性を有する柔軟な発泡樹脂シートから成形され、果実を一つずつ収納できる収納凹部が複数列に形成されてなる緩衝用容器と、前記緩衝用容器に比して保形性のある発泡樹脂シートから成形され、前記緩衝用容器を受支するトレー形状の支持容器とからなる果実包装用容器であって、
前記支持容器は、前記緩衝用容器の周縁部を受ける側壁部を有するとともに、内方部の複数個所に前記緩衝用容器の収納凹部列間における非凹設部分の一部個所を受ける錐体状の突出支持部が形成され、前記緩衝用容器を受支した状態において、前記収納凹部の弾性変形を許容できるように設けられてなることを特徴とする果実包装用容器。
【請求項２】
前記緩衝用容器は、収納凹部が各収納凹部列間に非凹設部分を有するとともに、該非凹設部分の一部個所が前記突出支持部に対応位置するように前記各収納凹部が配置形成されてなる容器であり、収納凹部の数を異にする少なくとも２種の容器が、前記支持容器に対して選択的に組み合わせ使用可能である請求項１に記載の果実包装用容器。
【請求項３】
前記２種の緩衝用容器は、収納凹部が両側３個の列と中央２個の列との縦３列で、両側の列の収納凹部に対し中央の列の収納凹部が位置をずらされて形成された８個詰めの容器と、収納凹部が３個ずつの縦３列で、両側の列の収納凹部に対し中央の列の収納凹部が位置をずらされて形成された９個詰めの容器である請求項２に記載の果実包装用容器。
【請求項４】
前記８個詰めの容器は、両側の列の収納凹部と中央の列の収納凹部との間に縦横に間隔をおいて四つの非凹設部分を有し、前記９個詰めの容器は、両側の列の収納凹部と中央の列の収納凹部との間に縦横に間隔をおいて６つの非凹設部分を有するとともに、このうち四つの非凹設部分の少なくとも一部が、前記８個詰めの容器に対して外形を合わせた状態において該８個詰めの容器の各非凹設部分の一部個所と対応位置するように形成され、他方、前記支持容器には、前記８個詰めの容器の四つの非凹設部分の前記一部個所と対応する四個所に突出支持部が設けられてなる請求項３に記載の果実包装用容器。
【発明の詳細な説明】
【技術分野】
【０００１】
本発明は、主として苺や枇杷、無花果等の果実を１個ずつ個装状態にして包装するための果実包装用容器に関するものである。
【背景技術】
【０００２】
従来より、苺等の果実、中でも進物用等に使用される比較的大粒の苺の包装用容器としては、苺の表面が比較的柔らかくて他物と当接した部分から傷みが生じ易いことから、弾力性を有する柔軟な発泡樹脂シートから成形された緩衝用の第１の容器と、該容器を受支できるように保形性のある合成樹脂シートから成形された支持用の第２の容器とを組み合わせた果実包装用容器が知られている。
【０００３】
例えば、特許文献１（実開昭６１−１４４０７０号公報）及び特許文献２（実開昭６２−３４６５号公報）には、苺等の果実を個装状態に収納できる複数の収納凹部が形成された柔軟な発泡樹脂シートからなる緩衝用の容器と、前記収納凹部を嵌合して支持する保持用凹部が形成された非発泡の合成樹脂製シートからなる支持用の容器とを組み合わせた衝撃吸収性容器が提案されている。特許文献２の場合、非発泡の合成樹脂シートからなる支持用の容器には果実の上部を覆う蓋体も一体に連設されている。
【０００４】
前記提案のいずれの容器の場合も、柔軟な発泡樹脂シートよりなる緩衝用の容器の収納凹部を、支持用の容器の保持用凹部に嵌合して吊り下げ状態に支持するものであるが、前記支持用の容器が比較的硬質の非発泡の合成樹脂シートよりなるものであって、殆ど緩衝効果を期待できないものであり、そのため、前記緩衝用の容器の収納凹部が前記保持用凹部に嵌合して周側面が接した状態になると、柔軟な発泡樹脂シートの弾力性が抑えられることになり、該収納凹部に収納される苺等の果実の種類によっては、緩衝効果が損なわれる虞がある。また、前記緩衝用の容器の収納凹部と支持用の容器の保持用凹部とが全周にわたって嵌合することで、柔軟な発泡シートの収納凹部の弾力的な動きや膨らみ変形が規制されることになって、収納される果実の形状や大きさのバラつきに対応できない場合がある。
【０００５】
さらに、前記支持用の容器は、前記緩衝用の容器における各収納凹部を、それぞれに対応する保持用凹部に嵌合して支持するものであるため、前記緩衝用の容器と支持用の容器は、一つの組み合わせでしか使用できないものであり、果実の詰め合わせの個数が変化すれば、その個数に応じた前記第１の容器と第２の容器とを共に準備する必要があり、この種の包装用容器のコスト高の一因となっている。
【特許文献１】実開昭６１−１４４０７０号公報
【特許文献２】実開昭６２−３４６５号公報
【発明の開示】
【発明が解決しようとする課題】
【０００６】
本発明は、前記の問題を解決するためになしたものであり、果実を１個ずつ個装できる緩衝用容器とこれを受ける支持容器との組み合わせからなる果実包装用容器において、収納凹部を有する緩衝用容器を保持する支持容器の構造を工夫して、前記緩衝用容器を安定性よく支持できて、しかも収納凹部の弾力的な膨らみ変形を許容できて、収納される果実の保護を良好になすことができる果実包装用容器を提供するものであり、さらに、１種の支持容器に対して収納凹部の数を異にする少なくとも２種の緩衝用容器を選択的に組み合わせ使用できるようにして、果実包装コストの低減にも寄与できる果実包装用容器を提供するものである。
【課題を解決するための手段】
【０００７】
上記の課題を解決する本発明は、弾力性を有する柔軟な発泡樹脂シートから成形され、果実を一つずつ収納できる収納凹部が複数列に形成されてなる緩衝用容器と、前記緩衝用容器に比して保形性のある発泡樹脂シートから成形され、前記緩衝用容器を受支するトレー形状の支持容器とからなる果実包装用容器であって、前記支持容器は、前記緩衝用容器の周縁部を受ける側壁部を有するとともに、内方部の複数個所に前記緩衝用容器の収納凹部列間における非凹設部分の一部個所を受ける錐体状の突出支持部が形成され、前記緩衝用容器を受支した状態において、前記収納凹部の弾性変形を許容できるように設けられてなることを特徴とする。
【０００８】
この果実包装用容器によれば、その使用において、果実を個装状態に収納する柔軟な発泡樹脂シートからなる緩衝用容器は、保形性のある発泡樹脂シートからなる支持容器により支持される。すなわち、前記緩衝用容器は、その周縁部が前記支持容器の側壁部により受支されるとともに、内方部における収納凹部以外の非凹設部分の複数個所が前記支持容器に有する複数の突出支持部により支持される。
【０００９】
そして、かかる支持状態においては、前記突出支持部が一部的に前記緩衝用容器の収納凹部の外側面に接触するだけであり、該突出支持部が柔軟な前記緩衝用容器の収納凹部の弾力性を抑制したり、素材の弾力性を利用した収納凹部の膨らみ変形等を規制することがなく、該支持容器が発泡樹脂シート製で非発泡の樹脂シートよりも緩衝性を有することもあって、輸送中の振動や衝撃に対して良好な緩衝効果を発揮できる。また、収納される果実の大きさや形状のバラつきにも容易に対応できる。
【００１０】
前記の果実包装用容器における前記緩衝用容器は、収納凹部が各収納凹部列間に非凹設部分を有するとともに、該非凹設部分の一部個所が前記突出支持部に対応位置するように前記各収納凹部が配置形成されてなる容器であり、収納凹部の数を異にする少なくとも２種の容器が、前記支持容器に対して選択的に組み合わせ使用可能であるものが好ましい。
【００１１】
この場合、一種の前記支持容器を果実の詰め合わせの個数の違うものに共通に使用できるため、支持容器の成形上の種別が少なくて済み、該支持容器の成形コストを抑えることができ、緩衝用容器と支持容器とによる果実包装用容器のコスト低減に寄与できる。しかも、いずれの容器の場合も、前記のように、緩衝用容器の内方部の非凹設部分の個所を支持容器に有する突出支持部により受支して、安定性よく保持できる。
【００１２】
また、前記の果実包装用容器において、前記２種の緩衝用容器は、収納凹部が両側３個の列と中央２個の列との縦３列で、両側の列の収納凹部に対し中央の列の収納凹部が位置をずらされて形成された８個詰めの容器と、収納凹部が３個ずつの縦３列で、両側の列の収納凹部に対し中央の列の収納凹部が位置をずらされて形成された９個詰めの容器であるものとすることができる。これにより、１種の支持容器を、８個詰めの緩衝用容器及び９個詰めの緩衝用容器のいずれにも使用できる。
【００１３】
特に、前記８個詰めの容器は、両側の列の収納凹部と中央の列の収納凹部との間に縦横に間隔をおいて四つの非凹設部分を有し、前記９個詰めの容器は、両側の列の収納凹部と中央の列の収納凹部との間に縦横に間隔をおいて６つの非凹設部分を有するとともに、このうち四つの非凹設部分の少なくとも一部が、前記８個詰めの容器に対して外形を合わせた状態において該８個詰めの容器の各非凹設部分の一部個所と対応位置するように形成され、他方、前記支持容器には、前記８個詰めの容器の四つの非凹設部分の前記一部個所と対応する四個所に突出支持部が設けられてなるものが好ましい。
【００１４】
これにより、８個詰めの緩衝用容器、及び９個詰めの緩衝用容器のいずれも、その内方部が前記支持容器の突出支持部により、四つの非凹設部分の個所で支持でき、柔軟な発泡樹脂シート製の緩衝用容器を各収納凹部を支持容器に当接させずに安定性よく支持することができる。
【発明の効果】
【００１５】
上記したように、本発明の果実包装用容器は、果実を個装状態に収納する収納凹部を有する柔軟な発泡樹脂シート製の緩衝用容器と、保形性のある発泡樹脂シート性の支持容器とを組み合わせたものにおいて、柔軟な前記緩衝用容器を支持容器により安定性よく支持できて、しかも、果実を収納する収納凹部の弾力性を良好に保持き、かつ輸送中の振動に伴う弾力的な膨らみ変形も許容でき、収納される果実の保護を良好になすことができ、また、果実の大きさや形状のバラつきにも容易に対応できる。
【００１６】
さらに、１種の支持容器に対して収納凹部の数を異にする少なくとも２種の緩衝用容器を選択的に組み合わせ使用できる構成とすることにより、支持容器の成形上の種別が少なくて済み、該支持容器の成形コストを抑えることができ、緩衝用容器と支持容器とによる果実包装用容器のコスト低減に寄与できる。
【発明を実施するための最良の形態】
【００１７】
次に本発明の実施の形態を図面に示す実施例に基づいて説明する。
【００１８】
図１は本発明の果実包装用容器の実施例を示す緩衝用容器と支持容器とを分離した斜視図、図２は同上の８個詰めの緩衝用容器と支持容器の平面図、図３は８個詰めの緩衝用容器を支持容器に重ねた状態の一部を切り欠いて示す平面図、図４は図３のIV−IV線の断面図、図５は図３のV−V線の断面図、図６は９個詰めの緩衝用容器の斜視図、図７は同緩衝用容器を支持容器に重ねた状態の平面図、図８は図７のVIII−VIII線の断面図である。
【００１９】
本発明の果実包装用容器Ａは、弾力性を有する柔軟な軟質の発泡樹脂シートから真空成形等の成形手段により成形され、包装対象の果実Ｂを一つずつ個装状態に収納できる複数の収納凹部１１が複数列に形成されてなる緩衝用容器１０と、前記緩衝用容器１０に比して保形性のある主として硬質の発泡樹脂シートから成形され、前記緩衝用容器１０を外形を合わせて受支するトレー形状の支持容器２０とからなる。図示する実施例は、包装対象の果実Ｂが比較的大粒の苺である場合を示している。
【００２０】
前記緩衝用容器１０の各収納凹部１１は、収納される果実Ｂに応じた任意の形状で、大きさ、深さに形成される。例えば、前記果実Ｂが苺の場合は、平面が苺の形態に対応した変形楕円形状で底部が丸みの有る凹部をなすように凹設されている。
【００２１】
図１〜図５の実施例における緩衝用容器１０は、前記収納凹部１１が両側３個の列ａ，ａと中央２個の列ｂとの縦３列で、両側の列ａ，ａの収納凹部１１に対し中央の列ｂの収納凹部１１が位置をずらされて所定の間隔で形成された８個詰めの容器１０Ａであり、各収納凹部列ａ，ｂ間には、中央の列ｂの１個の収納凹部１１と両側の列ａの２個の収納凹部１１、１１との間にある程度の面積を持った非凹設部分１２を残して凹設されている。これにより、縦横に間隔をおいて四つの非凹設部分１２が形成されている。前記非凹設部分１２は、前記各収納凹部１１の間隔及び収納凹部列ａ，ｂ間の間隔によっては連続して形成される場合もある。
【００２２】
前記支持容器２０は、外形が前記緩衝用容器１０と対応した形状をなし、前記緩衝用容器１０の周縁部１３を受ける側壁部２３を有するとともに、内方部の複数個所に前記緩衝用容器１０の収納凹部列ａ，ｂ間における前記非凹設部分１２の一部個所を受ける錐体状の突出支持部２２が底面２１から上方に突出形成されており、該突出支持部２２の頂部２２ａにより前記一部個所に当接して受支できるように設けられている（図３）。これにより、前記緩衝用容器１０を受支した状態において、前記収納凹部１１を支持容器２０の底面２１から浮かせて支持でき、かつ前記収納凹部１１との接触を極力少なくできて、該収納凹部１１の弾性変形を許容できるようになっている（図４，図５）。
【００２３】
前記突出支持部２２の頂部２２ａは円弧状の丸みがつけられており、前記緩衝用容器１０が柔軟な発泡樹脂シート製であることもあって、前記比凹設部分１２と前記頂部２２ａとの、成形誤差等による少々の位置ずれを吸収できて、前記のように該凹設部分１２の一部個所を受けることができるようになっている。
【００２４】
図の場合、前記緩衝用容器１０における前記四つの非凹設部分１２の配置に合わせて、支持容器２０に緩衝用容器１０を組み合わせた状態において前記四つの各非凹設部分１２の一部個所と対応する位置の４個所に、前記錐体状、好ましくは図のような円錐状の突出支持部２２が設けられており、各突出支持部２２の頂部２２ａにより前記非凹設部分１２の一部個所を受けるように形成されている。
【００２５】
前記突出支持部２２は、緩衝用容器１０の収納凹部１１の個数によっても異なるが、必ずしも図のように４個所に設ける必要はなく、前記緩衝用容器１０の内方部を支持できるものであれば、１個所、好ましくは２個所以上に設けて実施することができる。８個詰めの容器１０Ａの場合は図のように４個所に設けておくのが、支持状態の安定性の点から好ましい。
【００２６】
符号２４は前記支持容器２０の一方の短辺側の側壁部２３に設けた容器を把持する際の指掛け部であり、符号２５は長辺側の側壁部２３に設けた補強用の縦リブである。図示していないが、前記底面２１にも縦横の少なくとも１方向に延びる補強用の凸部を形成しておくことができる。前記の各突出支持部２２は、図のように底面２１上でそれぞれ独立して形成しておくほか、錐体状の下部を底面２１に形成される凸部により連続させて形成しておくこともできる。
【００２７】
本発明の果実包装用容器Ａは、前記支持容器２０の突出支持部２２の配置を利用して、緩衝用容器１０が９個詰めの容器１０Ｂである場合にも、前記と同じ支持容器２０と組み合わせ使用できるように設けられている。
【００２８】
例えば、図６〜図８における緩衝用容器１０は、前記収納凹部１１が３個ずつの縦３列で、両側の列ａ，ａの収納凹部１１に対し中央の列ｂの収納凹部１１が位置をずらされて形成された９個詰めの容器１０Ｂであり、中央の列ｂの１個の収納凹部１１と両側の列ａ，ａの２個の収納凹部１１、１１との間にある程度の面積を持った非凹設部分１２を残して凹設されている。これにより、縦横に間隔をおいて六つの非凹設部分１２が形成されている。そして、前記の六つの非凹設部分１２うちの四つの非凹設部分１２が、前記８個詰めの容器１０Ａに対して外形を合わせた状態において該８個詰めの容器１０Ａの各非凹設部分１２の一部個所と対応位置するように形成されている。
【００２９】
特に、前記８個詰めの容器１０Ａと前記９個詰めの容器１０Ｂとは、収納凹部１１の形状や大きさが若干ことなり、かつ中央の列ｂの収納凹部１１の数が異なることで、非凹設部分１２の位置が収納凹部列の方向に若干ずれて形成される場合があるので、このずれを考慮して、例えば、９個詰めの容器１０Ｂについては、前記８個詰めの容器１０Ａに対して、変形楕円形の収納凹部１１の縦横方向を１８０°逆向きにして外形を合わせた状態において該８個詰めの容器１０Ａの各非凹設部分１１の一部個所と対応位置するように形成される。
【００３０】
これに対し、前記支持容器１０における突出支持部２２は、前記８個詰めの容器１０Ａの各非凹設部分１２の前記一部個所を受けるように形成されているので、前記９個詰めの容器１０Ｂについても、該突出支持部２２の頂部２２ａにより前記非凹設部分１２の一部個所を受支できる（図７、図８）。すなわち、前記支持容器２０は、前記８個詰めと９個詰めの２種の容器１０Ａ，１０Ｂに使用できるようになっている。言い換えれば、前記８個詰めと９個詰めの２種の容器１０Ａ，１０Ｂは、それぞれ同一形状をなす前記支持容器２０に対して選択的に組み合わせ使用できるようになっている。
【００３１】
なお、前記８個詰めと９個詰めの２種の容器１０Ａ，１０Ｂ以外の収納凹部１１の数を異にする緩衝用容器についても、前記同様に、複数列の収納凹部列間に形成される非凹設部分１２の少なくとも一部が、前記支持容器２０の突出支持部２２の頂部２２ａに対応位置するものであれば、前記同様に同一の支持容器２０と組み合わせ使用できることになる。
【００３２】
上記の緩衝用容器１０に使用する柔軟な発泡樹脂シートとしては、ポリエチレン系樹脂、ポリプロピレン系樹脂、及びオレフィンを主体とする共重合体等のポリオレフィン系樹脂その他の軟質の合成樹脂の発泡シートが用いられる。中でも、柔軟性があって靱性もあるポリエチレン系樹脂の発泡シートが好適に用いられる。ポリエチレン系樹脂の発泡シートの場合、包装対象の果実の種類や収納する個数によっても異なるが、通常、発泡倍率１５〜５０倍、厚み０．５〜５ｍｍのものが用いられる。
【００３３】
また、前記支持容器２０に使用する保形性のよい発泡樹脂シートとしては、ポリスチレン及びスチレンを主体とする共重合体等のポリスチレン系樹脂、ポリ塩化ビニル樹脂、ポリエチレンテレフタレート等のポリエステル系樹脂等の硬質の合成樹脂の発泡シートが用いられる。中でも、成形性がよくて保形性もよいポリスチレン系樹脂の発泡シートが好適に用いられる。ポリスチレン系樹脂の発泡シートの場合、通常、発泡倍率５〜２５倍、厚み０．５〜５ｍｍのものが用いられる。
【００３４】
上記した実施例の果実包装用容器Ａによれば、大粒の苺等の果実Ｂを包装するのに使用するもので、この使用において、収納凹部１１を有する柔軟な発泡樹脂シートからなる緩衝用容器１０は、例えば８個詰めの容器１０Ａと９個詰めの容器１０Ｂのいずれかの容器を、果実Ｂの詰め合わせ個数に応じて選択して、保形性のある発泡樹脂シートからなる支持容器２０により支持するように組み合わせ使用する。
【００３５】
すなわち、前記緩衝用容器１０は、８個詰めの容器１０Ａ及び９個詰めの容器１０Ｂのいずれの場合にも、その周縁部１３が前記支持容器２０の側壁部２３により受支されるとともに、内方部における収納凹部１１以外の非凹設部分１２の複数個所が前記支持容器２０に有する複数の突出支持部２２により支持されて、前記収納凹部１１が支持容器２０の底面２１から浮いた状態に保持される（図３〜５、及び図７，８）。
【００３６】
この支持状態においては、前記突出支持部２２が一部的に前記緩衝用容器１０の収納凹部１１の外側面に接触するだけであり、前記突出支持部２２が柔軟な前記緩衝用容器１０の収納凹部１１の弾力性を抑制したり、素材の弾力性を利用した収納凹部１１の膨らみ変形等を規制することがない。そのため、前記支持容器２０が発泡樹脂シート製で非発泡の樹脂シートよりも緩衝性を有することもあって、輸送中の振動や衝撃に対して良好な緩衝効果を発揮できる。また、収納される果実の大きさや形状のバラつきにも容易に対応できる。
【００３７】
また、一種の支持容器２０に対して、緩衝用容器１０として８個詰めの容器１０Ａ及び９個詰めの容器１０Ｂ等の２種以上の容器の一種を選択的に使用できて、一種の前記支持容器２０を詰め合わせの個数の違うものに共通に使用できるため、詰め合わせ個数毎に戸別に成形された支持容器を準備する必要がなく、支持容器の種別を少なくでき、製造上において支持容器１０の成形金型の種別も少なくて済み、成形コストを抑えることができ、ひいては緩衝用容器１０と支持容器２０との組み合わせによる果実包装用容器Ａのコスト低減に寄与できる。
【産業上の利用可能性】
【００３８】
本発明の果実包装用容器は、苺や枇杷、無花果等の果実を１個ずつ個装状態にして包装するための果実包装用容器に好適に使用できる。
【図面の簡単な説明】
【００３９】
【図１】本発明の果実包装用容器の実施例を示す緩衝用容器と支持容器とを分離した斜視図である。
【図２】同上の８個詰めの緩衝用容器と支持容器の平面図である。
【図３】８個詰めの緩衝用容器を支持容器に重ねた状態の一部を切り欠いて示す平面図である。
【図４】図３のIV−IV線の断面図である。
【図５】図３のV−V線の断面図である。
【図６】９個詰めの緩衝用容器の斜視図である。
【図７】同緩衝用容器を支持容器に重ねた状態の平面図である。
【図８】図７のVIII−VIII線の断面図である。
【符号の説明】
【００４０】
Ａ…果実包装用容器、Ｂ…果実、ａ，ｂ…収納凹部の列、１０…緩衝用容器、１０Ａ…８個詰めの容器、１０Ｂ…９個詰めの容器、１１…収納凹部、１２…非凹設部分、１３…周縁部、２０…支持容器、２１…底面、２２…突出支持部、２３…側壁部、２４…指掛け部、２５…縦リブ。
【図１】
2010064760.tif 000003
【図２】
2010064760.tif 000004
【図３】
2010064760.tif 000005
【図４】
2010064760.tif 000006
【図５】
2010064760.tif 000007
【図６】
2010064760.tif 000008
【図７】
2010064760.tif 000009
【図８】
2010064760.tif 000010